(57)【要約】【課題】個人的な好みに小ロットで対応し得て、かつ短時間に簡便に受発注ができ、製品を素早く提供できる受発注システムを提供する。【解決手段】個々の顧客が、携帯電話に装備された写真機能を使用して得られた画像を、携帯電話を使用してインターネットを通じて送信し、該画像に係わる製品を発注し、製作者が、該画像および該画像が捺染や着色がされた製品を受信し受注して、デジタルプリントにより捺染や着色をして製品を作成し、発注者に当該製品を納品するデジタルプリント製品の受発注システム。【特許請求の範囲】
【請求項１】
個々の発注者（顧客）が、携帯電話に装備された写真機能を使用して得られた画像を、携帯電話を使用してインターネットを通じて送信し、該画像が製品上に捺染や着色された製品を発注し、製作者が、該画像および該画像が製品上に捺染や着色がされた製品を受信し受注して、該画像を製品上にデジタルプリントにより捺染や着色をして製品を作成し、発注者に当該製品を納品することを特徴とするデジタルプリント製品の受発注システム。
【請求項２】
インターネットホームページやコンピュータプログラム記録媒体を通じてコンピュータ画面上に表示されたデジタルプリント製品を構成する各部分のデザイン画の中から自由に選択し、それらと携帯電話に装備された写真機能を使用して得られた画像を組み合わせて画面上で１つの完成されたデジタルプリント製品のデザインを顧客が好みに応じて創作し、該創作されたデザインを発注する請求項１記載のデジタルプリント製品の受発注システム。
【請求項３】
デジタルプリント製品が、繊維製品である請求項１および請求項２記載のデジタルプリント製品の受発注システム。
【発明の詳細な説明】
【０００１】
【発明の属する技術分野】
本発明は、少なくともレーザープリント方式やインクジェット方式等デジタルプリントでＴシャツやミニＴシャツや装飾品等の布帛製品上に捺染や着色を施したデジタルプリント布帛製品を携帯電話の写真機能とメール機能等を利用して簡便に発注ができ、これを製作者側が受注でき製作し納品し得るデジタルプリント布帛製品の受発注システムに関する。
【０００２】
【従来の技術】
繊維製品等の通信販売の場合、これまで色・柄・サイズなど、商品購入を決定する上で非常に重要なこれらの要素は、カタログあるいはインターネットによるホームページ表示画面からだけでは顧客、販売者双方とも、正確に伝達・収集できなかった。そのため、顧客は、おおよその見当で色や柄、生地の感触をみきわめて発注していた。又、販売者の側も、あらかじめ実物とは色や柄などが多少異なることを明示せざるを得ない場合が多かった。
一方、顧客が顧客の保有する独自の画像や写真等のデザインを、製作者に発注する場合はそのデザインそのものの所謂ハードコピーを送付し、受注した製作者が該ハードコピーからスキャニングする等の受発注システム等も繊維製品の受発注システムとして提案されている。
【０００３】
さらに、近年スキャナーやデジタルカメラの発達で顧客が顧客独自の画像や写真等のデザインを創作し、インターネットを通じて送信し得る情勢となってきており、ハードコピーを送付し、受注した製作者が該ハードコピーからスキャニングする等の受発注システム等に代って、顧客が顧客独自の画像や写真等のデザインを創作し、インターネットを通じて送信し発注する受発注システムも提案されている。
しかし、これらのインターネットを通じて送信し発注する受発注システムは、スキャナーやコンピューターや所謂ハードの整備と送信や画像処理等のソフト等の整備が必要であり、かつ習熟した技能を有する顧客のみが使いこなせるものであり、特定の顧客に制限される傾向を有している。
【０００４】
【発明が解決しようとする課題】
本発明は、従来のインターネットを通じて送信し発注する受発注システムの抱える課題、すなわち煩雑な手法と過大な設備の必要であることを解決せんとするものであり、煩雑な手法と過大な設備の必要がない極めて簡便に顧客が発注し得る受発注システムを提供せんとするものである。
【０００５】
【課題を解決するための手段】
すなわち本発明は、個々の発注者（顧客）が、携帯電話に装備された写真機能を使用して得られた画像を、携帯電話を使用してインターネットを通じて送信し、該画像が製品上に捺染や着色された製品を発注し、製作者が、該画像および該画像が製品上に捺染や着色がされた製品を受信し受注して、該画像を製品上にデジタルプリントにより捺染や着色をして製品を作成し、発注者に当該製品を納品することを特徴とするデジタルプリント製品の受発注システムであり、またインターネットホームページやコンピュータプログラム記録媒体を通じてコンピュータ画面上に表示されたデジタルプリント製品を構成する各部分のデザイン画の中から自由に選択し、それらと携帯電話に装備された写真機能を使用して得られた画像を組み合わせて画面上で１つの完成されたデジタルプリント製品のデザインを顧客が好みに応じて創作し、該創作されたデザインを発注する前記のデジタルプリント製品の受発注システムであり、さらにまた、デジタルプリント製品が、繊維製品である前記のデジタルプリント製品の受発注システムである。
【０００６】
【発明の実施の形態】
本発明における具体的例としては、まず、個々の発注者である顧客が携帯電話に装備された写真機能で任意の画像を撮影し、得られた写真を保存し、同じく携帯電話に装備されたインターネット（メール）機能を使用して、特定の製作者側に所定の手順で該画像を送信して、好みの製品例えばＴシャツ上に該画像が捺染や着色がなされた製品を発注する。製作者は送信された該画像と好みの製品と発注者の電話番号と氏名を受信し、当該発注内容に応じて当該画像を所定のＴシャツ上の所定位置に、レーザー印刷や電子写真印刷やインクジェット印刷方式等のデジタル印刷方式を選択して、例えば選択したインクジェット方式で捺染することで、捺染されたＴシャツ製品を得る。顧客は所定の場所で所定期日に代金と引き換えに当該製品を受け取る。
【０００７】
本発明において、着色や捺染が施される製品としては、特に限定されないが、Ｔシャツ、ミニＴシャツ、ペナント、スカーフ、カバン、バッグ、ハンカチ、コップ、ポケットになし得る中間繊維製品、等が挙げられる。
本発明におけるデジタルプリントは、電子写真プリント、レーザープリント、インクジェットプリント等から製品に適した方式を適宜選択使用しうる。
これらの、デジタルプリントはそれぞれの方式において、直接製品にプリントしてもよく、また一旦転写紙などの担体にプリントしてこの転写紙を製品に当接し転写してもよい。
前記のインクジェットプリント方式においても、バブルインクジェット方式、ピエゾインクジェット方式等種々のインクジェット方式の一に限定されることなくそれらのうちから、適宜選択し採用したインクジェット方式で着色、捺染することができる。
【０００８】
本発明において、使用される製品で好ましく適応される繊維製品は、特に限定されるものではなく、例えば木綿（コットン）１００％及び他繊維との混紡品、混織品、混編品や、ポリエステル繊維１００％及び他繊維との混紡品、混織品、混編品（ダブルニット等）、羊毛、絹、ナイロン、等公知の繊維の１００％及び他繊維との混紡品、混織品、混編品からの布帛や縫製製品が挙げられる。
前記の布帛は、プリント（着色）の後に起毛処理や薬剤処理などの表面処理を行い、捺染や着色を行った領域を捺染や着色をしない領域と同じ風合いになるように加工等をなす等着色後の後処理や、ダイレクトインクジェット方式で直接布帛（または衣服等の縫製製品の任意構成部位）に捺染や着色する前に、インクジェットインクの不必要な布帛上での広がりを防ぐための滲み防止加工等の前処理等を施したものが好ましいものである。
【０００９】
本発明において、代金の授受については、製品との代引き決裁による方式でもよいが、電子決済方式が好ましく適用でき、その中で代金の決裁は、製品発注時に決裁し得る仕組みで行う方式が好ましい。
製作者が受注したときのメール内容は各顧客の発注内容として保存され、製品の受け取り時に、その保存内容のプリントと照合されて納品される。また、所定の条件下で、直接顧客宛てに製品納付するもできる。
製品の受け取り場所は、顧客の選択に応じてより便利な場所とすることもでき、選択された場所において行うこともできる。
【００１０】
以下に、本発明を実施例で説明するが、本発明はこれらの実施例に限定されるものではない。
【実施例】
＊実施例１
北海道から、九州に旅行に出かけた三人の女子高生徒が、Ａさんが旅行先で携帯電話で記念写真をとりその記念写真のうち、特に気に入った写真を保存し、製作者の製品受注ホームページにアクセスし、メールで該写真をミニＴシャツ（Ｔシャツのミニチュア版で着用はできないが写真等をプリントし装飾品として使用しうるものである）にプリントした製品を３枚発注し、受け取り場所を製作者列記の場所から札幌にある場所を選定指定し、また受け取り期日を製作者指定期間以後の任意日である５日後を選択して指定した。受注者側である製作者は、前記の受注内容と決裁方式を確認して、当該内容を札幌にある製作者提携先送信し、受信した提携先はその内容に応じ写真をインクジェット方式で転写紙にプリントし、プリントされた転写紙からミニＴシャツに転写し捺染されたミニＴシャツを３枚作成した。
メールから５日後、旅行から帰ったＡさんは、所定期日に札幌の指定場所である製作者の提携先で製品を受け取ることができた。
【００１１】
＊実施例２
主婦であるＢさんが、趣味の園芸で珍しく咲いた気に入りに花を携帯電話に装備されている写真機能で撮影しその写真のうち、特に気に入った写真を保存し、製作者の製品受注ホームページにアクセスし、メールで該写真をＴシャツの前面にプリントした製品を５枚発注し、受け取り場所を最寄の製作者列記の場所から選定指定し、また受け取り期日を製作者指定期間以後の任意日である３日後を選択して指定した。受注者側である製作者は、前記の受注内容と決裁方式を確認して、当該内容をＢさん居住の最寄指定提携先に送信し、受信した提携先はその内容に応じ写真をインクジェット方式で転写紙にプリントし、プリントされた転写紙からＴシャツの前面に転写し捺染されたＴシャツを５枚作成した。
メールから３日後、Ｂさんは、所定期日に指定場所である製作者の提携先で製品を受け取ることができた。
【００１２】
【発明の効果】
本発明によれば、個人的な好みにできるだけ小ロットで対応し得て、かつ短時間に簡便に受発注ができる衣服等の着色や捺染された製品を提供することができ、且つコスト的低減の可能な衣服製作、及びそれらの衣服を個人に素早く提供できる受発注システムの実現要求に応え、かつ、低コストで多種多様なデザインに対応でき、デザイン的な選択の幅が制限され難い、製品品質上からも上質のものが得られる衣服等製品の極めて簡便な受発注システムを提供することができる。